(57)【要約】      （修正有）【課題】パーキンソン病患者の突進性或いはすくみ足の症状による歩行困難を克服するハードルバー歩行補助器具を提供する。【解決手段】ハードルバー歩行補助器具を取り付ける際、杖は個人に合った高さ、それに、歩行器は高さと奥行き、即ち３Ｄの調節がアダプターの使用で可能になる。梃子あるいはマジックテープの機能が取り付ける容易さ又迅速さ、それにアダプターはハードルバー歩行補助器具を取り付ける位置の柔軟性を可能にした。材質が弾力性に富みその表面が滑らかなハードルバーとコイルバネの使用と梃子やマジックテープの万能性と夜光塗料ストリップが簡単に安価に作れ、又柔軟性に優れる。【選択図】図２
0003165494.tif 000002
【実用新案登録請求の範囲】
【請求項１】
本考案がパーキンソン病患者が突進やすくみ足を克服するのに必要な障害物を患者の足元に提供する事によってコントロールされた歩行を可能にするのにあたって、ハードルバー歩行補助器具はマジックテープや梃子を使用する事によって、杖や歩行器に容易に又迅速に取り付けられる構造である。
【請求項２】
又、しっかりと（ハードルバーが取り付けられた形態から位置をずらしてしまわないように）取り付けられるために、いぼいぼラバークッションとスティール板バネは重要な役割を担う。
【請求項３】
ハードルバー歩行補助器具を杖や歩行器に据え付ける際に個人の体調や好みによって、或いは行為の目的（単なる歩行か運動か）によって、高さを変えられる。
歩行器に限り言えば、アダプターを使用すれば高さと共に前方の距離（後脚とハードルバー歩行補助器具が取り付けられるアダプター上の位置との距離）も変えられる。すなわち、歩行器の内側の空間全ての点（位置）に３Ｄ（３Ｄｉｍｅｎｔｉｏｎａｌ）調節が可能である。
【請求項４】
地面からより高い位置にハードルバー歩行補助器具を据え付ける事によって、本考案の利用者はハードルバーを跨ごうとして足を上げそして、その足をハードルバーの向う側で下す。それを連続してやれば良い運動になり、より良いリハビリ効果に繋がる。
【請求項５】
このハードルバー歩行補助器具は２０以下の部品で作られ、コイルバネが中心の役割を果たす簡単なデザインと製造の容易さを併せ持つので、以前に提供されてきた解決策よりもより安価に市場に提供できるし広範に受け入れられるというメリットがある。
【請求項６】
図３にあるように、夜光塗料ストリップをハードルバーの上部中心に張ることによって、夜間や薄暗い所での使用が可能になる。  夜光塗料ストリップの光が不必要或いは邪魔な時はハードルバーを上に向かせハードルバーの収納庫に押し込めば発光はなくなる。
【考案の詳細な説明】
【技術分野】
【０００１】    本考案はパーキンソン病患者用ハードルバー歩行補助器具に関するものである。
【背景技術】
【０００２】    従来、ハードルバーが杖や歩行器に取り付けられる位置は固定され、個人の好みや目的にそって迅速にまた容易に変えられるようなものではない。又、従来考案された歩行器へのアタッチメントも後脚に取り付けられ、上下の調節のみが可能である。杖に限って言えば、レイザーを使用したものは光の加減で見にくかったし、杖に搭載できる小型なレイザージェネレイターは高価である。又、杖内部に加圧作動式のバネ仕掛けがなされていて目印／障害物が杖から出入りする構造の杖は、利用者の足や衣類が引っ掛かったりし危険であったし、複雑で故障し易い高価な物となり、年金受給者や低所得者の手に届く商品ではなかった。又、夜間や薄暗い所での使用は従来考案された技術では考慮されなかった。
【考案の概要】
【考案が解決しようとする課題】
【０００３】    従来考案された杖は、杖内部に仕掛けがなされている為ハードルバーの位置は固定され複雑で故障し易く且つ高価な物である。従来の考案されたハードルバー歩行補助器具が搭載された歩行器はその取り付ける位置が歩行器の後脚に固定された為、個人差が無視されたり、最悪のケースでは視野に入らない場合もあり、目標としての役割を果たせない。又、夜間や薄暗い所での使用は従来の考案では不可能であった。従来の前述の弱点を克服するのが本考案である。
【課題を解決するための手段】
【０００４】      ハードルバー歩行補助器具を杖や歩行器に取り付ける容易さ又迅速さは器具の取り付け様式を下記の２種類のデザインにより成就される：
（イ）  マジックテープとスティール板バネと改良されたバックルといぼいぼラバーク          ッションを使用することによって（図１２）高い圧力が杖の中心方向にかかり          、取り付けが簡単になり、取り付けられた器具がしっかりと取り付けられた位          置を保持できる。又バンドがバックルに入り易いようにハンドルの先を小さく          した。（図１０）
（ロ）  梃子を用いて伸縮する耐久性のある高摩擦の適宜素材にて一体化形成された梃          子用バンドで簡単にハードルバー歩行補助器具を杖や歩行器に取り付けられる          。（図７と図８を見よ）
その上、歩行器アダプターを上下させ又ハードルバー補助器具のアダプター上の位置を変えることによって、歩行器の内側の空間全ての点（位置）に、個人の好みに応じて又病状の程度によって、或いは行為の目的（単なる歩行か運動か）によって、ハードルバー歩行補助器具の取り付け位置を、容易に又迅速に変えられる。
広範な使用者に受け入れられる価格を実現する為に、本考案パーツの殆ど全ては現在市販されている材料で安く手に入る、又、約２０分で安価に生産できる。
最後に、夜光塗料ストリップ（図３）をハードルバーの上部中心に張ることによって、夜間や薄暗い所での使用が可能になる。  夜光塗料ストリップの光が不必要或いは邪魔な時はハードルバーを上に向かせハードルバーの収納庫に押し込めば発光はなくなる。
【考案の効果】
【０００５】      上述の様に、本考案のハードルバー歩行補助器具はその取り付けの形態が梃子やマジックテープの使用により、簡単に迅速に安価に確実に安全に普通の杖や歩行器をパーキンソン病患者特有なすくみ足や突進を克服できる歩行補助器に改良する。
従来のすくみ足克服を謳ったレイザーは使用される環境の光の量によって見えにくかったり、又雑踏の中では使用が困難である。加圧作動式のバネ仕掛けがなされた杖は杖内部に仕掛けがなされている為、複雑で故障し易く且つ高価な物である。本考案は杖や歩行器に取り付け可能なアタッチメントとして一つの器具が杖や歩行器両者に適用され、安全に又的確にハードルをパーキンソン病患者が要求する位置に提供する。又全部品数が２０個以下の簡単な構造を持つようにエンジニアされたので、製造費用がより抑えられ、安価に市場に提供できる。
又従来の歩行器に付いたハードルバーは上下だけの位置調節しかできない。しかし、本考案はアダプターを歩行器の後脚に搭載することによって、ハードルバー歩行補助器具がアダプターに取り付けられる位置（前方に位置）も変えられる。つまり、３Ｄ調節が可能である。
又、従来、夜間や薄暗い所での使用とか筋トレへの応用は課題として提起されなかった。夜光塗料ストリップをハードルバーの上部中心に張ることによって、夜間や薄暗い所での使用が可能になる。さらに、筋トレやリハビリの一環として、足を上げた時に太腿が床と平行になるように通常よりもハードルバーを高い位置に取り付け、立っている場所で足の上げ下げをして、さらなるリハビリ効果が期待される。
【図面の簡単な説明】
【０００６】
【図１】杖に本考案（ハードルバー歩行補助器具）を取り付けた状態の図
【図２】（イ）歩行器に本考案（ハードルバー歩行補助器具）を取り付けた状態の図  （ロ）歩行器アダプターの斜視図  （ハ）歩行器アダプターの側面図
【図３】本考案の側面図
【図４】ハードルバーの分解図
【図５】本考案の一部切欠断側面図
【図６】本考案の正面図
【図７】（イ）梃子の平面図（梃子が働いていない状態）  （ロ）バンドと梃子の穴の斜視図（梃子が働いていない状態）  （ハ）バンドと梃子の穴の側面図（梃子が働いていない状態）  （ニ）バンドと梃子の穴の正面図（梃子が働いていない状態）
【図８】（イ）梃子の平面図（梃子が働いている状態）  （ロ）バンドと梃子の穴の斜視図（梃子が働いている状態）  （ハ）バンドと梃子の穴の側面図（梃子が働いている状態）  （ニ）バンドと梃子の穴の正面図（梃子が働いている状態）
【図９】梃子の斜め右横側面図
【図１０】マジックテープバンド側面図  このページ５の最下部にある表は杖の直径が１０ｍｍから１６ｍｍの場合、バンドのａ，ｂ，ｃ，ｄの長さが特定されている。又、杖の直径が１５ｍｍから２５ｍｍの場合にもそれぞれの長さが特定されている。
【図１１】改良されたバックル  平面図と分解図
【図１２】マジックテープのバンド（杖に装着された状態）  側面図と平面図
【図１３】（イ）マジックテープバンド側面図  （ロ）スティール板バネ側面図  （ハ）スティール板バネ平面図
【考案を実施するための形態】
【０００７】      最初に、本考案を杖や歩行器に取り付けるには、二つのやり方がある。  ハードルバー歩行補助器具を（図１）にあるように先ずハードルバー収納庫の後ろのいぼいぼラバークッションが杖に当たるようにして好む高さにして杖と本考案を揃える。それから、梃子を使用する場合、図７の（ニ）に見えるように、１４２を梃子の穴に揃え、穴に入れ、１４２をバンドが杖の周りにきつく締まるように入れ、上からバンドを押し付けバンドのこぶとこぶの間の部分がその下の小さな穴に入るのを確認する。それから、魚の形をした梃子を（図７）の（イ）にある矢印の方向に押し、パチンという音が聞こえて、魚が杖の周りに張り付いたような状態（図８）の（イ）になれば、取り付け終了。それから、余計な長さのバンドを切り捨てると２回目からの取り付けがより簡単になる。次にマジックテープを使用した場合、（図１０）にあるように、フリーなそして狭まったハンドルがある方を杖の周りに回してバンドの反対側に付いているバックルの中に通して、バンドがきつく締まるようにハンドルを反対方向に引いてマジックテープの雄と雌が働く（図１２）のを確認して取り付け終了。それから、（図５と図６）に見えるハードルバーを収納庫のへこみから少し力を入れて外して、水平になるようにピンを中心に円を描くように、ハードルバーを収納庫から取り出し、（１５）のフリクション留め金がきちんとハマるのを確認する。
前方突進の傾向がある方は左右両方にハードルバー歩行補助器具を取り付けた杖を用いて、最初に直立姿勢を達成した上、片一方の杖を通常よりも前方に置きバランスが取れたことを確認した上で、もう一方の杖を通常の幅で前方に置きそのハードルバーを跨ぐ様に足を上にあげハードルバーの向こうに着地する。
すくみ足のある方でそのすくみ足の程度が大分悪くなった方は左右両方の手にハードルバー歩行補助器具を取り付けた杖を用いたり、ハードルバーの位置を個人に合わせて使用したりすると、歩行に成功する確率が高くなる。
もしくは歩行器の左右両方の後脚に３Ｄ（３ディメンショナル）のアダプターを取り付けた後に、個人の好みに依って上下と共に前脚と後脚の間のどの位置（進行方向に対して前側となる前脚と、後側となる後脚）に取り付けるかを調節すると足が出易くなる。
また地面に平行なバーは利用者が蹴っても踏んでも、ハードルバーはラバーで出来ているので薄く変形し、利用者がバランスを崩さない。  足やズボンやスカートがハードルバーに万が一触れたとしても、ハードルバーはコイルバネが働いて逃げてくれ、ハードルバーの表面が滑りやすい為、足やズボンやスカートが引っ張られる事は無い。
必要に応じて、ハードルバーを洗ったり濡れた布で拭うことを勧める。
夜光塗料ストリップをハードルバーの上部中心に張ることによって、夜間や薄暗い所での使用が可能になる。  夜光塗料ストリップの光が不必要或いは邪魔な時はハードルバーを上に向かせハードルバーの収納庫に押し込めば発光はなくなる。
最後に、推薦する筋トレやリハビリは足を上げた時に太腿が床と平行になるように杖の通常よりも高い位置にハードルバーを取り付け、立っている場所で太腿が床と平行になるように足をハードルバーを跨ぐように足踏みをする。
【符号の説明】
【０００８】１はハードルバー
２はハードルバー収納庫
３は梃子
４はピン
５はコイルバネ
６はへこみ
７はいぼいぼ（の付いた）ラバークッション
８はコイルバネ収納庫上
９はコイルバネ収納庫下
１０は最下部コイルバネ収納庫
１１は発光塗料ストリップ
１２はねじ
１３はバー
１４は伸縮する（滑り止めのコウティングがなされた）バンド｛１４１はすでに梃子に据え付けられた側、１４２はバンドの長さを調整して器具全体がきつく杖や歩行器の脚の周りにとりつけられる側｝
１５は（ハードルバーを固定する）フリクション留め金
１６はスティール板バネ
１７は改良されたバックル
１８はコイルバネを内蔵したスピナー
１９はマジックテープ
２０は歩行器の前脚
２１は歩行器の後脚
２２はアダプター
【図１】
0003165494.tif 000003
【図２】
0003165494.tif 000004
【図３】
0003165494.tif 000005
【図４】
0003165494.tif 000006
【図５】
0003165494.tif 000007
【図６】
0003165494.tif 000008
【図７】
0003165494.tif 000009
【図８】
0003165494.tif 000010
【図９】
0003165494.tif 000011
【図１０】
0003165494.tif 000012
【図１１】
0003165494.tif 000013
【図１２】
0003165494.tif 000014
【図１３】
0003165494.tif 000015
【手続補正書】
【提出日】平成22年10月22日(2010.10.22)
【手続補正１】
【補正対象書類名】実用新案登録請求の範囲
【補正対象項目名】全文
【補正方法】変更
【補正の内容】
【実用新案登録請求の範囲】
【請求項１】
ハードルバー歩行補助器具を杖や歩行器に固定する結束具としてマジックテープ（登録商標）や梃子が使われるが、ハードルバー収納庫の裏にあるスペースにマジックテープ（登録商標）や梃子のバンドを通しハードルバー収納庫にそのバンドを固定しておく特徴を持つパーキンソン病患者用ハードルバー歩行補助器具。
【請求項２】
マジックテープ（登録商標）が使用される場合、マジックテープ（登録商標）の牡と雌が十分にその結束具として役割を果たせるように杖の円周に依って長さを調節し、バックルをマジックテープ（登録商標）の片方に取り付け、いぼいぼラバークッションが杖や歩行器に接触するようにマジックテープ（登録商標）の最上部に縫い付け、そしてスティール板バネはバックルの真横にマジックテープ（登録商標）といぼいぼラバークッションの間に位置を取る様に、又バネの弾性エネルギーを使えるように固定させる構造を特徴とした請求項１に記載したパーキンンン病患者用ハードルバー歩行補助器具。
【請求項３】
梃子が使用される場合、梃子は硬化型樹脂またはプラスチックを材質とし、杖の周りをバンドはその張力を用いて締め付けられるように、梃子がその張力を発揮する頭部分は楕円形であり、バンドの一方は梃子に結束され他方はフリーで杖の周りに回して梃子の内側にある穴に入った後に抜けない構造を穴の形とバンドの形にデザインしたのを特徴とした請求項１に記載したパーキンソン病患者用ハードルバー歩行補助器具。
【請求項４】
歩行器の内側の空間全ての位置に３Ｄ調節を可能にさせるのに使用する歩行器の脚と同じ直径をした円筒形のアダプターを特徴とする請求項１に記載したパーキンソン病患者用ハードルバー歩行補助器具。
【請求項５】
このハードルバー歩行補助器具は大きく分けてハードルバーとハードルバー収納庫とハードルバー歩行補助器具を杖や歩行器にアタッチする結束具の３部品で作られていて、ハードルバーはハードルバー収納庫と下部にあるピンで結合されているが、収納されていない時にハードルバーにフリクション留め金が働いて地面と平行になる状態になり、ハードルバーがハードルバー収納庫に形成されたへこみに圧迫され収納された時にハードルバーが地面に対して垂直に立っている状態になり、ハードルバー自体は滑らかで耐久性のある柔軟でそれで尚且つ元の状態に直ぐ戻る素材で作られ、コイルバネがハードルバーに結合されていてそのコイルバネのもう一つの端にコイルバネ収納庫に結合され、そのコイルバネ収納庫がピンでハードルバー収納庫に結合され、ハードルバー収納庫は裏面に杖や歩行器にしっかりと結束されるように、いぼいぼラバークッシォンが貼られ、また結束具のバンドが通るスペースがハードルバー収納庫の裏側にあり、このような構造を特徴とする請求項１に記載したパーキンソン病患者用ハードルバー歩行補助器具。
【請求項６】
夜光塗料ストリップをハードルバーの上部中心に貼ることによって、夜間や薄暗い所での使用が可能になり、夜光塗料ストリップの光が不必要或いは邪魔な時はハードルバーを垂直に向かせハードルバーの収納庫に押し込めば発光はなくなるという特徴を持つ請求項１に記載したパーキンソン病患者用ハードルバー歩行補助器具。